(57)【特許請求の範囲】
【請求項１】
所定の軸方向Ｌに沿って延伸されてなり、軸沿いに上端と下端とを有し、前記上端側に上部スロットが形成されている中棒と、前記上端に枢動可能に連結され傘布が張られる骨組ユニットと、前記骨組ユニットと枢動可能に連結され、前記軸方向に沿って前記骨組ユニットが展開されて開傘される上側位置と前記骨組ユニットが折畳まれて閉傘される下側位置との間に摺動自在に前記中棒に外嵌されるランナーと、を備えている傘に用いられるランナー固定装置であって、
前記上部スロットに設置される取付端部と前記上部スロットの外側から突き出て径方向外向きに付勢される引掛け端部とを有し、前記引掛け端部は軸方向において上向きに面する上係止部と、該上係止部から径方向において斜め外向きに延伸される上側カム面を有する上作動部と、を有する上はじきと、
軸方向に沿って前記ランナーと共に前記上側位置と前記下側位置との間に摺動自在に設けられ、前記中棒が貫通する軸心空間を画成するように前記軸方向に延伸される中空状囲い壁を有し、該囲い壁には径方向に前記軸心空間と連通し、前記上係止部と接触して前記ランナーが前記上側位置に定位される上当接壁を有する係止孔が形成される定位部材と、
前記囲い壁に摺動可能に外嵌されるスリーブ部材であって、該スリーブ部材は軸方向に沿って延伸されて前記囲い壁と対向して摺動する内面を有し、該内面は前記上側カム面と接触する上当接面を有し、該スリーブ部材が軸方向に前記上側位置から離れて移動するとき、前記上作動部が径方向内向きに押され、前記上係止部を滑り越えると前記上当接壁との接触から離れることにより、前記上当接壁が前記上側カム面を滑り越えて前記上側位置から離れるようにすることができるスリーブ部材と、
を備え、
前記定位部材は、前記囲い壁に上向きに面する肩部を形成するよう前記囲い壁の下端部から径方向外向きに突出したフランジを有し、前記スリーブ部材の内面は、下向きに延伸されており、前記スリーブ部材が前記上側位置から離れて移動すると前記肩部と軸方向において対向して接触する当たり面を有し、前記スリーブ部材が前記定位部材から脱離することを避けながら前記定位部材が前記下側位置に向かって移動することを容易にすることができることを特徴とする傘用ランナー固定装置。
【請求項２】
前記上側カム面は、前記上係止部から外向きに且つ下向きに傾斜する第１のカム面部と、前記第１のカム面部から内向きに且つ下向きに傾斜する第２のカム面部と、からなることを特徴とする請求項１に記載の傘用ランナー固定装置。
【請求項３】
前記定位部材は、前記ランナーと一体的に延伸されるように構成されることを特徴とする請求項１に記載の傘用ランナー固定装置。
【請求項４】
更に前記中棒の下端側に設けられる下はじきを有し、該下はじきは、前記中棒の下端側に取り付けられる取付端部と、径方向外向きに付勢されるように前記中棒から外向きに延伸される引掛け端部と、を有し、前記引掛け端部は、軸方向において下向きに面する下係止部と、下係止部から径方向外向きに延伸される下側カム面を有する下作動部と、を有し、
前記囲い壁に形成される前記係止孔は更に、前記下係止部と接触すると前記ランナーを前記下側位置に定位させるよう軸方向に延伸されて前記上当接壁と対向する下当接壁を有し、
前記スリーブ部材の前記内面は更に前記下側カム面と接触する下当接面を有し、前記スリーブ部材が軸方向に沿って前記下側位置から移動するとき、前記下作動部が径方向内向きに押動され、前記下係止部を滑りながら前記下当接壁との接触から離れると、前記下側カム面を滑り越えることにより前記下当接壁が前記下側位置から離れて動くことができることを特徴とする請求項１に記載の傘用ランナー固定装置。
【発明の詳細な説明】
【技術分野】
【０００１】
本発明は、傘に関し、特に傘の中棒の上端側及び下端側の間を移動するランナーを固定するランナー固定装置に関する。
【背景技術】
【０００２】
従来の傘では、中棒の軸方向に沿ってランナーが摺動自在に外嵌されており、中棒の上ろくろの近くにはじき溝が形成され、はじき溝にはランナーの下向きの移動を防止するはじきが浮沈可能に設けられている。この傘を使用するとき、指でランナーを中棒の軸方向に沿って上ろくろに向けて摺動しながら、はじきを押してはじき溝内に退避させ、はじき溝を滑り越えると、はじきがすぐその弾性反発力によって弾き出てランナーを定位で係止させると同時に傘を展開状態に保持することができる。
【発明の概要】
【発明が解決しようとする課題】
【０００３】
しかしながら、開傘状態において、指ではじきをはじき溝内に押し込んでランナーを引張って下向きに移動させて傘を閉じるとき、指が下向きに移動するランナーとはじきとの間に挟まれて怪我をするおそれがある。また、はじきは一般には薄い鉄片により構成されるので、指の腹で強くはじきを押すと、ときに傷つく問題点もある。
【０００４】
本発明は、上記問題点に鑑みてなされたものであり、傘を安全に開閉することができ、使い勝手が良い傘用ランナー固定装置を提供することを目的とする。
【課題を解決するための手段】
【０００５】
上記目的を達成するために、本発明は、傘に用いられるランナー固定装置を提供する。前記傘は、所定の軸方向Ｌに沿って延伸されてなり、軸沿いに上端と下端とを有し、前記上端側に上部スロットが形成されている中棒と、前記上端に枢動可能に連結され傘布が張られる骨組ユニットと、前記骨組ユニットと枢動可能に連結され、前記軸方向に沿って前記骨組ユニットが展開されて開傘される上側位置と前記骨組ユニットが折畳まれて閉傘される下側位置との間に摺動自在に前記中棒に外嵌されるランナーと、を備えている。
【０００６】
前記ランナー固定装置は、
前記上部スロットに設置される取付端部と前記上部スロットの外側から突き出て径方向外向きに付勢される引掛け端部とを有し、前記引掛け端部は軸方向において上向きに面する上係止部と、該上係止部から径方向において斜め外向きに延伸される上側カム面を有する上作動部と、を有する上はじきと、
軸方向に沿って前記ランナーと共に前記上側位置と前記下側位置との間に摺動自在に設けられ、前記中棒が貫通する軸心空間を画成するように前記軸方向に延伸される中空状囲い壁を有し、該囲い壁は径方向に前記軸心空間と連通し、前記上係止部と接触して前記ランナーが前記上側位置に定位される上当接壁を有する係止孔が形成される定位部材と、
前記囲い壁に摺動可能に外嵌されるスリーブ部材であって、該スリーブ部材は軸方向に沿って延伸されて前記囲い壁と対向して摺動する内面を有し、該内面は前記上側カム面と接触する上当接面を有し、該スリーブ部材は軸方向に前記上側位置から離れて移動するとき、前記上作動部が径方向内向きに押され、前記上係止部を滑り越えると前記上当接壁との接触から離れることにより、前記上当接壁が前記上側カム面を滑り越えて前記上側位置から離れるようにすることができるスリーブ部材と、を備えていることを特徴とする。
【０００７】
本発明に係る傘用ランナー固定装置では、前記定位部材は、前記囲い壁に上向きに面する肩部を形成するよう前記囲い壁の下端部から径方向外向きに突出したフランジを有し、前記スリーブ部材の内面は、下向きに延伸されており、前記スリーブ部材が前記上側位置から離れて移動すると前記肩部と軸方向において対向して接触する当たり面を有することが好ましい。これによって、前記スリーブ部材が前記定位部材から脱離することを避けながら前記定位部材が前記下側位置に向かって移動することを容易にすることができる。
【０００８】
本発明に係る傘用ランナー固定装置では、前記上側カム面は、前記上係止部から外向きに且つ下向きに傾斜する第１のカム面部と、前記第１のカム面部から内向きに且つ下向きに傾斜する第２のカム面部と、からなることが好ましい。
【０００９】
本発明に係る傘用ランナー固定装置では、前記定位部材は、前記ランナーと一体的に延伸されるように構成されることが好ましい。
【００１０】
また、本発明に係る傘用ランナー固定装置は、更に前記中棒の下端側に設けられる下はじきを有し、該下はじきは、前記中棒の下端側に取り付けられる取付端部と、径方向外向きに付勢されるように前記中棒から外向きに突出した引掛け端部と、を有し、前記引掛け端部は、軸方向において下向きに面する下係止部と、下係止部から径方向外向きに延伸される下側カム面を有する下作動部と、を有し、
前記囲い壁に形成される前記係止孔は更に、前記下係止部と接触すると前記ランナーを前記下側位置に定位させるよう軸方向に延伸されて前記上当接壁と対向する下当接壁を有し、
前記スリーブ部材の前記内面は更に前記下側カム面と接触する下当接面を有することが好ましい。このように構成すると、前記スリーブ部材が軸方向に沿って前記下側位置から移動するとき、前記下作動部が径方向内向きに押動され、前記下係止部を滑りながら前記下当接壁との接触から離れると、前記下側カム面を滑り越えることにより前記下当接壁が前記下側位置から離れて動くことができる。
【発明の効果】
【００１１】
上記のように構成された本発明に係る傘用ランナー固定装置によれば、スリーブ部材を摺動させると定位部材及びはじきによってランナーを所定箇所に定位させることができるので、指がはじきに直接当たることなく、ランナーを動かすことができるので、傷つくことなく安全に傘を開閉することができる。また、指ではじきを直接押す必要もないので、使い勝手も良い。
【図面の簡単な説明】
【００１２】
【図１】本発明に係る傘用ランナー固定装置の第１の実施形態を用いる傘の開傘状態を概略的に示す断面図である。
【図２】図１において傘を閉じる時スリーブ部材が上側位置から離れる場合を概略的に示す断面図である。
【図３】図２においてスリーブ部材が下向きにはじきを滑り越えて移動されてなる閉傘状態を概略的に示す断面図である。
【図４】本発明に係る傘用ランナー固定装置の第２の実施形態を用いる傘の閉傘状態を概略的に示す断面図である。
【図５】図４のランナー固定装置の第２の実施形態を示す一部断面図である。
【図６】図４に続いてスリーブ部材が下側位置から上向きに移動する状態を概略的に示す断面図である。
【図７】本発明に係る傘用ランナー固定装置の第２の実施形態を用いる傘の開傘状態を概略的に示す断面図である。
【図８】図７においてスリーブ部材が上側位置から下向きに移動する状態を概略的に示す断面図である。
【図９】図８に続いてスリーブ部材が下側位置に向けて下向きに移動する状態を概略的に示す断面図である。
【発明を実施するための形態】
【００１３】
以下、本発明の実施の形態を図面に基づいて説明する。なお、同一構成及び機能を有する構成要素については、同一番号を付してその説明を省略する。
【００１４】
（第１の実施形態）
本発明に係る傘用ランナー固定装置は、図１に示すように、例えば折畳傘に適用されるものである。図示の折畳傘では、所定の軸方向Ｌに沿って伸縮可能に少なくとも２本以上、例えば上パイプ１１０と中パイプ１３０と下パイプ１２０とを入れ子式に摺動可能に組み合わせてなる中棒１００と、上パイプ１１０の上端部２００に枢動可能に連結され傘布（図示せず）が張られる骨組ユニット３００と、骨組ユニット３００と枢動可能に連結され、中棒の軸方向Ｌに沿って骨組ユニット３００が展開されて開傘される上側位置と骨組ユニット３００が折畳まれて閉傘される下側位置との間に摺動自在に外嵌されているランナー４００と、を備えている。上パイプ１１０にはその上端部２００の近くに上部スロット１１１が形成されている。
【００１５】
本発明に係る傘用ランナー固定装置の第１の実施形態は、上はじき１０と作動ユニット２０とを備えている。
【００１６】
上はじき１０は、上部スロット１１１に設置される取付端部１４と、上部スロット１１１の外側から突き出て、径方向外向きに付勢される引掛け端部１５と、を有する。引掛け端部１５は、軸方向Ｌにおいて上向きに面する上係止部１１と、該上係止部１１から径方向において斜め外向きに延伸される上側カム面を有する上作動部１６と、を有する。上側カム面は、上係止部１１から外向きに且つ下向きに傾斜する第１のカム面部１２と、該第１のカム面部１２から内向き且つ下向きに傾斜する第２のカム面部１３と、からなっている。
【００１７】
作動ユニット２０は、定位部材２１とスリーブ部材２２とを有する。定位部材２１は、ランナー４００と共に上側位置及び下側位置の間を移動するようにランナー４００と一体に軸方向Ｌに沿って延伸されて形成されている。定位部材２１は、この形態では、中棒１００が貫通する軸心空間２１２を画成するように軸方向Ｌに延伸される中空状囲い壁２１３を有する。該囲い壁２１３には、軸心空間２１２と径方向に連通する係止孔２１６とが形成されている。該係止孔２１６は、上はじき１０の上係止部１１に接触して係止される上当接壁２１７を有する。なお、この形態では、ランナー４００は、定位部材２１と一体的に構成されており、定位部材２１の上当接壁２１７の上側から延伸される上延伸部４０１を有する。上係止部１１が上当接壁２１７に係止されると、図１に示されているように、ランナー４００が上側位置に定位される。
【００１８】
再び図１を参照すると、定位部材２１には、囲い壁２１３に上向きに面する肩部２１５を形成するよう囲い壁２１３の下端部から径方向外向きに突出したフランジ２１４が形成されている。
【００１９】
スリーブ部材２２は、囲い壁２１３に摺動可能に外嵌されるように軸方向Ｌに沿って延伸される内面２２１を有する。内面２２１は、延伸されて上側カム面と接触する上当接面２２４と、肩部２１５と軸方向において対向して接触する当たり面２２２と、を有する。
【００２０】
以上のように構成された傘用ランナー固定装置の動作を以下に説明する。
【００２１】
図２、図３に示すように、骨組ユニット３００を折畳んで閉傘しようとするとき、スリーブ部材２２を押して上側位置から下向きに移動させ、上作動部１６が上当接面２２４によって径方向内向きに押動されながら上係止部１１を滑り越え、上当接壁２１７との接触から離れる。このようにして、上当接壁２１７が上側カム面を滑り越えて上側位置から離れると共に、当たり面２２２が肩部２１５に接触する。これにより、スリーブ部材２２が定位部材２１から脱離することを避けながら定位部材２１を下側位置に移動することを容易にすることができる。
【００２２】
また、骨組ユニット３００を展開して開傘しようとするとき、ランナー４００の上延伸部４０１が上はじき１０の第２のカム面部１３に接触し、上はじき１０が径方向内向きに動くように作動ユニット２０が押動され、上はじき１０を滑り越えながら移動すると、図１に示すように、引掛け端部１５が係止孔２１６に係止される。
【００２３】
以上のように、本発明に係る傘用ランナー固定装置を用いれば、上はじき１０に直接当たることなく、ランナー４００を動かすことができるので、怪我することなく安全に傘を開閉することができ、使い勝手も良い。
【００２４】
（第２の実施形態）
図４、図５は、単管式の中棒１００を用いた傘に用いられる本発明に係る傘用ランナー固定装置の第２の実施形態を示す。この形態では、中棒１００には、更に中棒１００の下端部の近くに取り付けられる取付端部３４と、径方向外向きに付勢されるように中棒１００の外側に向けて延伸される引掛け端部３５と、を有する下はじき３０を設けている。
【００２５】
引掛け端部３５は、軸方向Ｌにおいて下向きに面する下係止部３１と、該下係止部３１から径方向外向きに延伸される下側カム面を有する下作動部３６と、を有する。下側カム面は、下係止部３１から外向きに且つ上向きに傾斜する第１のカム面部３２と、該第１のカム面部３２から内向きに且つ上向きに傾斜する第２のカム面部３３と、からなっている。
【００２６】
また、囲い壁２１３に形成される係止孔２１６は更に、軸方向に延伸されており上当接壁２１７と軸方向において対向する下当接壁２１８を有する。下当接壁２１８に下係止部３１が接触すると、図４、図５に示すように、ランナー４００を下側位置に定位させる。
【００２７】
また、スリーブ部材２２の内面２２１は、延伸されて下側カム面と接触する下当接面２２５を有する。
【００２８】
以上のように構成された傘用ランナー固定装置の動作を以下に説明する。
【００２９】
図６に示すように、骨組ユニット３００を展開して開傘しようとするとき、スリーブ部材２２を押して軸方向において下側位置から上向きに移動させる。下作動部３６が径方向内向きに押されながら下係止部３１が押されて径方向内向きに動かされ、下当接壁２１８との接触から離れるので、下当接壁２１８が下側カム面を滑り越えながら下側位置から移動する。そして、図７に示すように、作動ユニット２０は、ランナー４００と共に上向きに移動して上はじき１０を滑り越えると、上はじき１０に係止され定位される。
【００３０】
次いで、図８、図９に示すように、骨組ユニット３００を折畳んで閉傘しようとするとき、作動ユニット２０は下向きに押動され、上当接面２２４と上側カム面とが係止されているので、引掛け端部１５は内向きに押される。これによって、作動ユニット２０が上はじき１０を滑り越えながら下向きに摺動し、下はじき３０を滑り越えながら下はじき３０に係止され定位される。
【符号の説明】
【００３１】
１００  中棒              １１０  上パイプ        １１１  上部スロット
１２０  下パイプ          １３０  中パイプ        ２００  上端部
３００  骨組ユニット      ４００  ランナー        ４０１  上延伸部
１０  上はじき            １１  上係止部          １２  第１のカム面部
１３  第２のカム面部      １４  取付端部          １５  引掛け端部
１６  上作動部            ２０  作動ユニット      ２１  定位部材
２１２  軸心空間          ２１３  囲い壁          ２１４  フランジ
２１５  肩部              ２１６  係止孔          ２１７  上当接壁
２１８  下当接壁          ２２  スリーブ部材      ２２１  内面
２２２  当たり面          ２２４  上当接面        ２２５  下当接面
３０  下はじき            ３１  下係止部          ３２  第１のカム面部
３３  第２のカム面部      ３４  取付端部          ３５  引掛け端部
３６  下作動部
【図１】
0005398782.tif 000002
【図２】
0005398782.tif 000003
【図３】
0005398782.tif 000004
【図４】
0005398782.tif 000005
【図５】
0005398782.tif 000006
【図６】
0005398782.tif 000007
【図７】
0005398782.tif 000008
【図８】
0005398782.tif 000009
【図９】
0005398782.tif 000010